(57)【要約】【課題】ストランドケーブルを確実に定着させながら、施工性を向上することができる定着具を提供する。【解決手段】ストランドケーブル５０を定着させる定着具１であって、ストランドケーブル５０を径方向の外側から囲繞し、かつストランドケーブル５０における中心軸線Ｏに沿う軸方向の端部側から中央部側に向かうに従い漸次、径方向の内側に向けて延びる第１傾斜面１２Ａを有する楔部材１０と、第１傾斜面１２Ａに対向して延びる第２傾斜面２０Ａを有し、楔部材１０が内側に収容されるとともに、内周面に軸方向に延びる雌ネジ部２１が形成された筒状の楔収容部材２０と、外面に雌ネジ部２１と螺合する第１雄ネジ部３１が形成され、楔部材１０が楔収容部材２０に装着された状態において、第１雄ネジ部３１を雌ネジ部２１に螺合することでストランドケーブル５０を固定可能とされた固定部材３０と、を備えている。【選択図】図１
2019210770.tif 000002
【特許請求の範囲】
【請求項１】
ストランドケーブルをコンクリート躯体に定着させる定着具であって、
前記ストランドケーブルを径方向の外側から囲繞し、かつ前記ストランドケーブルにおける中心軸線に沿う軸方向の端部側から中央部側に向かうに従い漸次、径方向の内側に向けて延びる第１傾斜面を有する楔部材と、
前記第１傾斜面に対向して延びる第２傾斜面を有し、前記楔部材が内側に収容されるとともに、内周面に軸方向に延びる雌ネジ部が形成された筒状の楔収容部材と、
外面に前記雌ネジ部と螺合する第１雄ネジ部が形成され、前記楔部材が前記楔収容部材に装着された状態において、前記第１雄ネジ部を前記雌ネジ部に螺合することで前記ストランドケーブルを固定可能とされた固定部材と、を備えていることを特徴とする定着具。
【請求項２】
前記楔収容部材の外周面には、軸方向に沿って延びる第２雄ネジ部が形成されていることを特徴とする請求項１に記載の定着具。
【請求項３】
前記固定部材における軸方向の端部には、六角孔が形成されていることを特徴とする請求項１又は２に記載の定着具。
【発明の詳細な説明】
【技術分野】
【０００１】
本発明は、定着具に関する。
【背景技術】
【０００２】
従来、プレストレストコンクリートの緊張材に用いるストランドケーブルを、コンクリート躯体に定着する定着具として、下記特許文献１に示される構成が知られている。
この定着具は、楔部材と楔部材を収容する楔収容部材とを備え、緊張力が与えられたストランドケーブルに対して楔部材を装着し、楔部材を楔収容部材に押圧して固定することで、ストランドケーブルがコンクリート躯体に定着される。
【先行技術文献】
【特許文献】
【０００３】
【特許文献１】特開２００２−１８０６００号公報
【発明の概要】
【発明が解決しようとする課題】
【０００４】
しかしながら、従来の定着具では、楔部材を固定する作業がストランドケーブルに対して緊張力が与えられている状態で行われるので、例えば定着具を先に施工することができない等、定着作業の作業性に制約があった。
また、ストランドケーブルに緊張力を与えることなく、鉄筋の代替材として使用する場合には、楔部材の固定が不十分になり、ストランドケーブルが充分にコンクリートに定着できないおそれがあった。
【０００５】
本発明は、上記に鑑みてなされたものであって、ストランドケーブルを確実に定着させながら、施工性を向上することができる定着具を提供することを目的とする。
【課題を解決するための手段】
【０００６】
上記目的を達成するため、本発明に係る定着具は、ストランドケーブルをコンクリート躯体に定着させる定着具であって、前記ストランドケーブルを径方向の外側から囲繞し、かつ前記ストランドケーブルにおける中心軸線に沿う軸方向の端部側から中央部側に向かうに従い漸次、径方向の内側に向けて延びる第１傾斜面を有する楔部材と、前記第１傾斜面に対向して延びる第２傾斜面を有し、前記楔部材が内側に収容されるとともに、内周面に軸方向に延びる雌ネジ部が形成された筒状の楔収容部材と、外面に前記雌ネジ部と螺合する第１雄ネジ部が形成され、前記楔部材が前記楔収容部材に装着された状態において、前記第１雄ネジ部を前記雌ネジ部に螺合することで前記ストランドケーブルを固定可能とされた固定部材と、を備えていることを特徴とする。
【０００７】
本発明では、楔収容部材の内側に、ストランドケーブルを径方向の外側から囲繞する楔部材が収容され、楔収容部材の内側のうち、楔部材を軸方向に挟む第２傾斜面の反対側に位置する部分に、楔収容部材の雌ネジ部に装着される固定部材が配置されている。
このため、固定部材を、楔収容部材に対してストランドケーブルにおける軸方向の中央部側に向けて締め付けると、固定部材が楔部材を軸方向に押圧し、ストランドケーブルを径方向の外側から締め付けてストランドケーブルが定着具に定着される。
【０００８】
その後、定着具をストランドケーブルとともにコンクリート躯体に施工することで、コンクリート躯体にストランドケーブルを定着することができる。
このようにして、ストランドケーブルを確実に定着させながら、施工性を向上することができる。
【０００９】
また、本発明に係る定着具は、前記楔収容部材の外周面に、軸方向に沿って延びる第２雄ネジ部が形成されていることが好ましい。
【００１０】
本発明では、楔収容部材の外周面に第２雄ネジ部が形成されているので、ストランドケーブルに緊張力を与える際に、第２雄ネジ部を用いて容易に定着具を施工することができる。
【００１１】
また、本発明に係る定着具は、前記固定部材における軸方向の端部に、六角孔が形成されていることが好ましい。
【００１２】
本発明では、固定部材に六角孔が形成されているので、一般に流通する六角レンチを用いて、容易に固定部材を楔収容部材に対して締め付けることができる。これにより、定着具の施工性をより一層向上させることができる。
【発明の効果】
【００１３】
本発明の定着具によれば、ストランドケーブルを確実に定着させながら、施工性を向上することができる。
【図面の簡単な説明】
【００１４】
【図１】本発明の一実施形態に係る定着具における（ａ）縦断面図、（ｂ）側面図である。
【図２】図１に示す定着具をコンクリート躯体に埋設した状態を示す図である。
【図３】図１に示す定着具のうち、半分をコンクリート躯体に埋設した状態を示す図である。
【図４】図１に示す定着具をコンクリート躯体の外部に施工した状態を示す図である。
【発明を実施するための形態】
【００１５】
以下、本発明の一実施形態に係る定着具１について、図面に基づいて説明する。
図１に示すように、本実施形態に係る定着具１は、ストランドケーブル５０をコンクリート躯体６０に定着させる。ストランドケーブル５０は中心軸線Ｏに沿って延びている。
【００１６】
以下の説明において、ストランドケーブル５０の中心軸線Ｏに沿う方向を軸方向といい、軸方向のうち、ストランドケーブル５０の端部側を軸方向の端部側、ストランドケーブル５０の中央部側を軸方向の中央部側という。
また、軸方向から見た平面視で中心軸線Ｏと直交する方向を径方向といい、中心軸線Ｏ回りに周回する方向を周方向という。
【００１７】
定着具１は、ストランドケーブル５０を径方向の外側から囲繞する楔部材１０と、楔部材１０が内側に収容される筒状の楔収容部材２０と、を備えている。
楔部材１０は、中心軸線Ｏと同軸に配置された円筒状をなしている。楔部材１０には、径方向に延びる不図示のスリットが、周方向に間隔をあけて複数形成されている。このため、楔部材１０は縮径自在となっている。
【００１８】
楔部材１０は、軸方向の端部側に配置された直筒部１１と、軸方向の中央部側に配置された傾斜筒部１２と、を備えている。直筒部１１と傾斜筒部１２とは、一体に形成されている。なお、直筒部１１および傾斜筒部１２は別体に形成されてもよい。
傾斜筒部１２は、軸方向の端部側から中央部側に向かうに従い漸次、径方向の内側に向けて延びる第１傾斜面１２Ａを有している。第１傾斜面１２Ａは、傾斜筒部１２の外周面をなしている。
【００１９】
傾斜筒部１２の内周面には、径方向の内側に向けて突出する係止溝１２Ｂが軸方向に並べて配置されている。
傾斜筒部１２の第１傾斜面１２Ａに、径方向の内側に向かう外力が加えられると、傾斜筒部１２が縮径する。これに伴って係止溝１２Ｂがストランドケーブル５０の外面に噛み込むことで、楔部材１０がストランドケーブル５０を径方向に挟持して、強固に保持することができる。
【００２０】
楔収容部材２０は、中心軸線Ｏと同軸に配置されている、楔収容部材２０の内側の空間は、軸方向の端部側よりも中央部側が狭くなっている。
楔収容部材２０は、第１傾斜面１２Ａに対向して延びる第２傾斜面２０Ａを有している。第２傾斜面２０Ａは、第１傾斜面１２Ａと当接していてもよいし（図２参照）、軸方向および径方向に隙間をあけて対向していてもよい（図３、図４参照）。
楔収容部材２０の内周面には、軸方向に延びる雌ネジ部２１が形成されている。
【００２１】
定着具１は、楔収容部材２０の内側に配置される固定部材３０を更に備えている。固定部材３０は、中心軸線Ｏと同軸に配置された円柱状をなしている。
固定部材３０の外面には、雌ネジ部２１と螺合する第１雄ネジ部３１が形成されている。第１雄ネジ部３１は、固定部材３０の外面のうち、軸方向の中央部側に配置されている。
【００２２】
固定部材３０は、楔部材１０が楔収容部材２０に装着された状態において、第１雄ネジ部３１を雌ネジ部２１に螺合することでストランドケーブル５０を固定可能とされている。
固定部材３０は、楔収容部材２０の内側のうち、楔部材１０を軸方向に挟む第２傾斜面２０Ａの反対側に位置する部分に配置されている。固定部材３０における軸方向の端部側を向く端面には、六角孔３２が形成されている。
また、楔収容部材２０の外周面には、軸方向に沿って延びる第２雄ネジ部２２が形成されている。
【００２３】
次に、本実施形態に係る定着具１の作用について説明する。
図１に示す状態において、固定部材３０の六角孔３２に六角レンチを嵌合させて固定部材３０を楔収容部材２０に対して締め付けると、固定部材３０が軸方向の中央部側に変位する。
これにより、楔部材１０が軸方向の中央部側に変位して、第１傾斜面１２Ａが楔収容部材２０の第２傾斜面２０Ａに押圧される。
【００２４】
このため、第１傾斜面１２Ａが、第２傾斜面２０Ａから径方向の内側を向く外力を受けることで、楔部材１０が縮径して、楔部材１０がストランドケーブル５０を径方向の外側から挟持して保持する。これにより、ストランドケーブル５０が定着具１に固定される。
そして図２に示すように、ストランドケーブル５０を、定着具１とともにコンクリート躯体６０の内部に埋設することで、コンクリート躯体６０にストランドケーブル５０が定着される。
また、図３に示すように、定着具１の一部をコンクリート躯体６０の内部に埋設してもよいし、図４に示すように、定着具１をコンクリート躯体６０の外面に設置してもよい。
【００２５】
以上説明したように、本実施形態に係る定着具１によれば、楔収容部材２０の内側に、ストランドケーブル５０を径方向の外側から囲繞する楔部材１０が収容されている。そして、楔収容部材２０の内側のうち、楔部材１０を軸方向に挟む第２傾斜面２０Ａの反対側に位置する部分に、楔収容部材２０の雌ネジ部２１に装着される固定部材３０が配置されている。
このため、固定部材３０を、楔収容部材２０に対して軸方向の中央部側に向けて締め付けると、固定部材３０が楔部材１０を軸方向に押圧し、ストランドケーブル５０を径方向の外側から締め付けてストランドケーブル５０が定着具１に定着される。
【００２６】
その後、定着具１をストランドケーブル５０とともにコンクリート躯体６０に施工することで、コンクリート躯体６０にストランドケーブル５０を定着することができる。
このようにして、ストランドケーブル５０を確実に定着させながら、定着具１の施工性を向上することができる。
【００２７】
また、固定部材３０を締め付けることでストランドケーブル５０が定着具１に固定されるので、ストランドケーブル５０に緊張力を与えない場合でも、ストランドケーブル５０が定着具１から抜けやすくなるのを抑えることができる。言い換えれば、ストランドケーブル５０への定着具１の施工を、コンクリート躯体６０へのストランドケーブル５０の施工よりも先行して行うことができる。
【００２８】
また、定着具１が、楔部材１０、楔収容部材２０、および固定部材３０の３つの部材により構成されているので、現場での施工性を向上することができる。
また、楔部材１０がストランドケーブル５０を径方向に挟持するので、例えば鋼線やＦＲＰ線のように、ストランドケーブル５０が曲げ加工やねじ加工が困難な材料で形成されている場合にも適用することができる。
また、定着具１を、吊橋や斜張橋に用いられるような大径のケーブルや、アースアンカーの定着具１として用いることもでき、高い汎用性を発揮することができる。
【００２９】
また、楔収容部材２０の外周面に第２雄ネジ部２２が形成されているので、ストランドケーブル５０に緊張力を与える際に、第２雄ネジ部２２を用いて容易に定着具１を施工することができる。
また、固定部材３０に六角孔３２が形成されているので、一般に流通する六角レンチを用いて、容易に固定部材３０を楔収容部材２０に対して締め付けることができる。これにより、定着具１の施工性をより一層向上させることができる。
【００３０】
以上、本発明の一実施形態について説明したが、本発明は上記の実施形態に限定されるものではなく、その趣旨を逸脱しない範囲で適宜変更可能である。
【００３１】
例えば、上記実施形態では、楔収容部材２０の外周面に第２雄ネジ部２２が形成されている構成を示したが、このような態様に限られない。楔収容部材２０の外周面に第２雄ネジ部２２が形成されなくてもよい。
【００３２】
また、上記実施形態では、固定部材３０における軸方向の端部に、六角孔３２が形成されている構成を示したが、このような態様に限られない。固定部材３０における軸方向の端部に六角孔３２が形成されなくてもよい。このような場合には、例えば外周面が六角形であってもよいし、六角形以外の多角形状の孔が形成されてもよい。
【００３３】
その他、本発明の趣旨を逸脱しない範囲で、上記した実施の形態における構成要素を周知の構成要素に置き換えることは適宜可能である。
【符号の説明】
【００３４】
１  定着具
１０  楔部材
１２Ａ  第１傾斜面
２０  楔収容部材
２０Ａ  第２傾斜面
２１  雌ネジ部
２２  第２雄ネジ部
３０  固定部材
３１  第１雄ネジ部
３２  六角孔
５０  ストランドケーブル
６０  コンクリート躯体
【図１】
2019210770.tif 000003
【図２】
2019210770.tif 000004
【図３】
2019210770.tif 000005
【図４】
2019210770.tif 000006